(57)【要約】  【課題】  本発明では、乳児に圧迫感を与えることがなく、しっかりと保持することができるよう密着でき、このように密着した状態であっても、通気性、保温性を確保することにより快適に着座させることができる乳児用椅子の提供を目的とする。  【解決手段】  袋状の非通気性カバー部材２３の内部に流体を充填させたとき乳児Ａが着座可能に形成される乳児用椅子１０であって、上記非通気性カバー部材１２の表面における少なくとも、着座した乳児Ａが当接する１部位に通気性カバー部材１２を具備し、上記通気性カバー部材１２には、上記非通気性カバー部材２３の表面と乳児Ａとの間に介在させたとき、その間の通気性を確保する厚み方向における弾性を具備した乳児用椅子１０。  【選択図】    図１
2006334138.tif 000002
【特許請求の範囲】
【請求項１】
袋状の非通気性カバー部材の内部に流体を充填させたとき乳児が着座可能に形成される乳児用椅子であって、
上記非通気性カバー部材の表面における少なくとも、着座した乳児が当接する１部位に通気性カバー部材を具備した
乳児用椅子。
【請求項２】
乳児が着座する着座部を、該着座部と接地面との間に空間部が構成されるよう該着座部の外周側から上記支持部により支持し、
上記支持部、又は／及び、上記着座部に、乳児の荷重に伴って上記着座部が上記空間部内に押し下げられる弾性を具備して形成した
請求項１に記載の乳児用椅子。
【請求項３】
前記着座部に着席した乳児の荷重に伴って、該着座部側に傾斜して乳児を保持する保持部を、上記支持部から立設した
請求項１、又は、請求項２に記載の乳児用椅子。
【請求項４】
前記通気性カバー部材を立体メッシュ構造により構成した
請求項１から請求項３のいずれか一項に記載の乳児用椅子。
【請求項５】
前記通気性カバー部材を、上記非通気性カバー部材の表面における略全体を被覆可能な袋状に形成し、上記通気性カバー部材には、当該乳児用椅子本体の取り出し、或いは、収容を可能とする開口部を具備するとともに、該開口部を閉止可能とする開閉手段を具備した
請求項１から請求項４のいずれか一項に記載の乳児用椅子。
【発明の詳細な説明】
【技術分野】
【０００１】
この発明は、乳児を安定した状態で、且つ、快適に着座させることができる乳児用の椅子に関し、さらに詳しくは、表面全体が非通気性部材により構成されることから通常、水まわり設備周辺において使用されるエア充填型の乳児用椅子に関する。
【背景技術】
【０００２】
乳児用椅子には、様々なものが存在するが、首がすわった乳児に用いられる代表的なものとして、例えば、公知のローチェアがよく用いられる。上記ローチェアは、通常、座高を低く構成されるとともに、その外郭にスチール製のパイプ、或いは、木製の部材を用いて構成されるものが多い。
【０００３】
上記ローチェアの中には、例えば、別途、股ベルトを具備するものも存在する。上記股ベルトを装着することにより、ローチェアに着座した乳児をその位置に留めておくことができる。さらに、上記ローチェアの中には、不使用時には、折り畳んでコンパクト収納することのできる折畳み式のものも存在する。
【０００４】
このように、上記ローチェアは、使い勝手がよい反面、以下のような難点を有する。  
例えば、上記ローチェアに着座した乳児を、その位置に留めておくために、例えば、食事の度に、いちいち上記股ベルトを乳児に対して装着する必要があるため手間を要する。さらに、このような股ベルトを装着しても装着感（密着感、フィット感）に乏しいため、座り心地を低下してしまうこともある。
【０００５】
さらに、折畳み式のローチェアは、ある程度の大きさにまでしかコンパクトに折り畳むことができず、さらに、折り畳み式に構成すれば、その分、構成が複雑になるため、コストが高くなるといった難点も有する。
【０００６】
上記ローチェアに対して、エア充填型の乳児用椅子も存在する。これらは、例えば、ビニール部材の内部に空気を充填して構成し、さらに表面部材は、非通気性部材であるため、特に、沐浴の際に用いられることが多い。
【０００７】
上記エア充填型の乳児用椅子は、軽量であるため持ち運びが容易であり、内部の空気を抜けばコンパクトに収納できるなどの特徴を有する。このため、水周り設備周辺での使用に限定せずに室内や、屋外において使用される場合もある。
【０００８】
このようなエア充填型の空気椅子としては、例えば、下記特許文献１に空気入りビニル椅子が開示されている。  
上記空気入りビニル椅子は、気密的袋状の背あて部と座部との組合せから成り、上記背あて部は、周辺に太いチューブを配している。上記背あて部の中央部における所々は、座部の外周に沿って丸め易いよう平板状に構成している。
【０００９】
このような構成を採る上記空気入りビニル椅子に乳児を着座させたとき、背あて部は、座部の外周に沿って丸めて構成しているため、乳児に背あて部などが密着することになる。或いは、背あて部における、所々を平板状に構成しているため、たとえ、背あて部が直接、乳児に密着しなくても、背あて部と乳児との間には、密閉空間が構成されることになる。従って、密閉空間に空気がこもり、乳児に不快感を与えてしまう。
【００１０】
すなわち、一般に、乳児は、椅子に対して安定した状態で着座させる必要があるが、このように安定感を重視すると、上記ビニル椅子における背あて部を乳児に密着させるよう構成する必要がある。ところが、椅子が空気充填型の場合は、表面部材は非通気性部材で構成されるため、乳児に対してますます不快感を与えてしまう。
【００１１】
上記空気入りビニル椅子は、このような弊害に対して、なんら対策が講じられていない。
【００１２】
ちなみに、クッション部材などを介在させた場合でも、薄手のクッション部材の場合は、やはり通気性を確保できず、厚手のクッション部材の場合は、通気性を確保することができるが、乳児に圧迫感を与えてしまうという他の弊害が招来してしまうことになる。
【００１３】
【特許文献１】実公昭５５−１１７２２号公報
【発明の開示】
【発明が解決しようとする課題】
【００１４】
そこで本発明では、乳児に圧迫感を与えることがなく、しっかりと保持することができるよう密着でき、このように密着した状態であっても、通気性、保温性を確保することにより快適に着座させることができる乳児用椅子の提供を目的とする。
【課題を解決するための手段】
【００１５】
本発明の乳児用椅子は、袋状の非通気性カバー部材の内部に流体を充填させたとき乳児が着座可能に形成される乳児用椅子であって、上記非通気性カバー部材の表面における少なくとも、着座した乳児が当接する１部位に通気性カバー部材を具備したことを特徴とする。
【００１６】
本発明の乳児用椅子は、乳児が着座する着座部を、該着座部と接地面との間に空間部が構成されるよう該着座部の外周側から上記支持部により支持し、上記支持部、又は／及び、上記着座部に、乳児の荷重に伴って上記着座部が上記空間部内に押し下げられる弾性を具備して形成することが好ましい。
【００１７】
さらに、本発明の乳児用椅子は、上記着座部に着席した乳児の荷重に伴って、該着座部側に傾斜して乳児を保持する保持部を、上記支持部から立設することが好ましい。
【００１８】
また、本発明の乳児用椅子は、上記通気性カバー部材を立体メッシュ構造により構成するとよい。
【００１９】
本発明の乳児用椅子は、上記通気性カバー部材を、上記非通気性カバー部材の表面における略全体を被覆可能な袋状に形成し、上記通気性カバー部材には、当該乳児用椅子本体の取り出し、或いは、収容を可能とする開口部を具備するとともに、該開口部を閉止可能とする開閉手段を具備することができる。
【発明の効果】
【００２０】
請求項１に係る発明によれば、本発明の乳児用椅子は、少なくとも着座した乳児が当接する部位において乳児と非通気性カバーとの間に通気性カバー部材を介在させることができる。よって、上記乳児用椅子は、乳児と非通気性カバーとの間において間隙が生じ、上記当接部位近傍において空気がこもることがないため、室内外など使用場所を問わず、着座した乳児の快適性を確保することができる。
【００２１】
勿論、本発明の乳児用椅子は、軽量で扱い易く、内部のエアを抜けば、コンパクトに収納することができるという空気を充填して構成される空気充填型特有の効果を奏することができる。
【００２２】
請求項２に係る発明によれば、本発明の乳児用椅子は、乳児が着座する荷重を利用して容易に、接地面に対して吸着した状態で接地することができる。よって、乳児用椅子自体は、軽量であるが安定して接地することができる。
【００２３】
請求項３に係る発明によれば、本発明の乳児用椅子は、乳児が着座するに伴って保持部が受動的に乳児の体格（体重）に応じて、乳児の側に傾斜する。上記保持部により、乳児用椅子に対して乳児を安定して保持することができる。そして、本発明の乳児用椅子は、このように、保持部が乳児の側に密着しようとしても、乳児と非通気性カバーとの間には、通気性カバー部材を介在させているため、確実に乳児と非通気性カバーとの間の通気性を確保することができる。
【００２４】
しかも、上記乳児用椅子は、保持部が乳児の体格（体重）に応じた傾斜量で柔軟に傾斜する。すなわち、保持部は、乳児を安定して保持しつつ、過度に乳児に密着することがないため、乳児と非通気性カバーとの間に通気性カバー部材を介在させた状態であっても乳児に、圧迫感を与えることがない。
【００２５】
請求項４に係る発明によれば、通気性カバー部材を立体メッシュ構造により形成することにより、表面に多数の孔が存在し、厚みも確保することができるため、優れた通気性を確保することができる。
【００２６】
請求項５に係る発明によれば、非通気性カバー部材の表面における略全体を被覆可能に形成することで、着座している乳児が例えば、腕などを動かしたときでも該腕などが当接する全ての部位において、乳児と非通気性カバーとの間に通気性を確保することができる。
【００２７】
また、通気性カバー部材を乳児用椅子本体から取り外せば、用途に応じて乳児用椅子本体単独で用いることや、通気性カバー部材を洗濯することもできる。
【発明を実施するための最良の形態】
【００２８】
この発明の一実施形態を、以下図面を用いて説明する。
【実施例１】
【００２９】
図１は、実施例１における乳児用空気椅子１０の外観を示すとともに、該乳児用空気椅子１０に乳児Ａが着座している様子を示す（図中、仮想線参照）。
【００３０】
上記乳児用空気椅子１０は、内部に空気を充填して椅子型に形成した乳児用空気椅子本体１１、及び、通気性を有する通気性マット部材１２を具備して構成される。
【００３１】
すなわち、通気性マット部材１２は、図２、及び、図３に示したように、上記乳児用空気椅子本体１１の平面視中央部位における、乳児Ａが着座する部位に対応する凹状部位に対して取り外し可能に装着されている。  
なお、図２は、乳児用空気椅子１０を正面視したときの中心相当部における上下方向の断面図、図３は、乳児用空気椅子１０を側面視したときの中心相当部における上下方向の片断面図を示し、図２、図３は、ともに乳児Ａが着座していない場合における乳児用空気椅子１０を示す。
【００３２】
上記乳児用空気椅子本体１１の構成を上記図１から上記図３を用いて以下、説明する。  
乳児用空気椅子本体１１には、平面視円環状形態に形成して全体を支持する支持部１３を下部外周部に具備している。さらに、上記支持部１３の中心部に相当する部位は、乳児Ａが臀部を載置して着座する着座部１４を具備している。
【００３３】
上記着座部１４は、平面視略円板形状に形成されるとともに、内部に弾性ウレタン部材により形成した芯材１４ａを配している。上記着座部１４における外周側部位を上記支持部１３における内周側部位とは、連結部１５を介して連結されている。
【００３４】
なお、上記連結部１５は、断面視すると、上記支持部１３の内周部側において所定の厚みを有するが、着座部１４側へ進むにつれて徐々に上下方向について幅小となり、その先端部が上記着座部１４に連結した形態を採る（図２、及び、図３における連結部１５参照）。
【００３５】
上述したように、着座部１４は、連結部１５を介して支持部１３により張設されるため、該着座部１４と接地面との間には、空間部２１が形成される。
【００３６】
一方、上記支持部１３における上側には、上記着座部１４に着座した乳児Ａを外周側から保持する保持部１６を具備している。さらに、上記保持部１６は、着座した乳児Ａの腰回りと対向する腰回り対向保持部１７と、腹部と対向する腹部対向保持部１８とを具備して形成される。
【００３７】
上記腰回り対向保持部１７は、上記着座部１４に着座した乳児Ａの背面側に有して主に乳児Ａの背凭れとなる背凭れ部１７、乳児Ａの左右両側に有して主に乳児Ａの肘掛けとなる肘掛け部１７ｂを具備して平面視略Ｕ字形状に一体に形成するとともに、乳児用空気椅子本体１１の前方側に該略Ｕ字形状の開口側を臨ませて支持部１３に対して一体に形成している。  
ちなみに、上記背凭れ部１７ａにおける上側には、該背凭れ部１７ａがさらに高くなるよう補助背凭れ部１７ｃを積載し、上記腰回り対向保持部１７の一部を形成している。
【００３８】
一方、上記腹部対向保持部１８は、上記支持部１３における着座した乳児Ａの股間部に相当する部位から上方へ突設している。
【００３９】
円環状をした上記支持部１３の周方向における上記腰回り対向保持部１７と上記腹部対向保持部１８との間は、着座した乳児Ａが自身の脚部を外側に突き出し可能な幅を確保して凹状に切り欠いた形態をしている。上記支持部における乳児Ａの脚部を突き出し可能な部位を脚部接地部１３ａに設定する。
【００４０】
ところで、上記支持部１３、上記連結部１５、及び、上記保持部１６は、内部に空気を注入して膨張させた膨張袋状に形成している。
【００４１】
また、乳児用空気椅子本体１１には、支持部１３の外周側における１部位にのみ、空気の注入、或いは、排出を任意に可能とする空気通過用口部材２２を具備している（図３の要部拡大図参照）。
【００４２】
また、上記乳児用空気椅子本体１１における、上記空気通過用口部材２２、及び、上記芯材１４ａを除く略全体部位、すなわち、上記支持部１３、上記連結部１５、及び、上記保持部１６、さらに、上記着座部１４における上記芯材１４ａの外覆部位は、内部の気密性を保つため非通気性素材である塩化ビニール樹脂シート２３により一体に形成している。
【００４３】
さらに、上記保持部１６、及び、上記連結部１５は、それぞれ上記支持部１３と内部空間を一体に形成するとともに、上記保持部１６における上記背凭れ部１７ａ、及び、上記補助背凭れ部１７ｄについても、互いに内部空間において連通状態に形成している。
【００４４】
これにより、上記乳児用空気椅子本体１１は、上記空気通過用口部材２２を通じて内部に空気を注入するだけで、全体を、上述した椅子型形態に膨張させることができる。
【００４５】
続いて、上記通気性マット部材１２の構成について説明する。  
上記通気性マット部材１２は、図４（ａ）に示したように、面状に形成し、上記乳児用空気椅子本体１１における各部位に対応させて構成している。具体的に、上記乳児用空気椅子本体１１における着座部１４に対応する着座部用接地部１２ａ、以下、同様に連結部１５に対応する連結部用接地部１２ｂ、背凭れ部１７ａに対応する背凭れ部用接地部１２ｃ、肘掛け部１７ｂに対応する肘掛け部用接地部１２ｄ、腹部対向保持部１８に対応する腹部対向保持部用接地部１２ｅ、脚部接地部１３ａに対応する脚部接地用接地部１２ｆを具備して構成される。  
上記通気性マット部材１２は、上記連結用接地部１２ｂに対して上記背凭れ部用接地部１２ｃ，  上記肘掛け部用接地部１２ｄ，  上記腹部対向保持部用接地部１２ｅ、及び、上記脚部接地用接地部１２ｆを放射方向にフラップ状に突出させた構成を採る。
【００４６】
上記通気性マット部材１２は、ダブルラッセル編み機により弾性糸を用いて、立体メッシュ構造で構成している。具体的に、上記通気性マット部材１２は、図５（ａ），（ｂ）に示したように、３層構造で形成し、身体に当接する側に対応する表面地２４と乳児用空気椅子本体１１表面に当接する側に対応する裏面地２５を具備している。
【００４７】
上記表面地２４は、亀甲状をした通気孔２４ａを多数、有して通気性を具備して構成している（図５（ａ）参照）。  
なお、上記図５（ａ）は、図１における領域Ｘ、すなわち、上記表面地２４を構成するメッシュ構造を模式的に示した図である。  
これに対して裏面布２５は、表面地２４を構成するメッシュ地より、さらに細目のメッシュ地により構成している（図示せず）。上記通気性マット部材１２は、表面地２４、裏面布２５をともに弾性糸を用いて形成しているため、マット面を構成する２軸方向において延伸自在となる。
【００４８】
さらに、上記通気性マット部材１２は、上記表面地２４と上記裏面地２５との間には、弾性糸を往来させて互いに連結し、一体に形成している。これにより、通気性マット部材１２は、例えば、１ｍｍから１０ｍｍ程度の厚みを確保して厚み方向に弾性を有して形成している（図５（ｂ）参照）。  
上記通気性マット部材１２には、乳児が着座する際に作用する荷重を受けたとき、その間に通気性を有するように厚みを確保することができる。つまり、上記通気性マット部材１２には、このような厚みを確保しようとする厚み方向についての剛性、或いは、弾性を有している。  
上記通気性マット部材１２の選定においては、上述したような厚みを確保した部材を採用するのが好ましい。
【００４９】
なお、図５（ｂ）は、図２における領域Ｙ、すなわち、通気性マット部材１２の厚み方向における構成を模式的に示した図である。
【００５０】
上記乳児用空気椅子１０は、上述したように構成するものとし、以下、上記乳児用空気椅子１０が奏する作用、効果について説明する。  
但し、上記乳児用空気椅子１０を、例えば、図６に示したように部屋の床面に接地した状態で乳児Ａが着座する状況に着目する。
【００５１】
まず、上記乳児用空気椅子１０における着座部１４に乳児Ａが着座すると、その荷重により該着座部１４が押し下がる。これにより、着座部１４の下側に有する空間部２１内における不特定の量の空気が乳児用空気椅子本体１１の下端部を通じて、強制的に外部に排出される。  
従って、空間部２１内の圧力が外気圧と比較して減圧するため、乳児用空気椅子本体１１は、床面に対して吸着した状態で接地させることができる。
【００５２】
また、着座部１４は、乳児Ａが着座することにより押し下げられ、それに伴って、保持部１６は、積極的に乳児Ａの側（中央部側）に傾くことになる。これにより、乳児用空気椅子１０の重心位置が押し下げられるとともに、全体が末広がり状（臼状）に弾性変形して安定した形態となる。
【００５３】
このため、通常、絨毯が敷かれた接地面の場合や、小さな凹凸を有する屋外の地面に接地する場合、上記空間部２１の気密性を確保し難いことから例えば、接地面が床面の場合と異なり吸着力を発揮し難くなるが、たとえ、このような接地面であっても、図６に示したように、臼状に弾性変形するため、上記乳児用空気椅子１０を、安定して接地することができる。
【００５４】
さらに、上述したように、保持部１６が乳児Ａに密着するよう傾くため、乳児Ａを定位置に留めておくことができるとともに、乳児Ａを乳児用空気椅子１０に対して安定した姿勢に保持することができる。
【００５５】
しかも、乳児Ａの身体と乳児用空気椅子本体１１の間には、通気性の有する通気性マット部材１２が介在することになる（図６中、腰部拡大図参照）。このため、保持部１６が乳児Ａに密着するよう傾いても、乳児用空気椅子本体１１を構成する非通気性の塩化ビニール樹脂シート２３が直接、乳児Ａの身体に当接することがなく、密着する部位の通気性を確実に確保することができる。
【００５６】
これにより、上記乳児用空気椅子１０は、汗等の水分でべたつかず衛生的であるとともに、乳児Ａを快適な状態に保つことができる。
【００５７】
また、乳児用空気椅子１０に乳児が着座したとき、厚み方向についても弾性を有する通気性マット部材１２が乳児Ａに対して面接触状態に密着するため、乳児用空気椅子１０は、乳児Ａに加わる負荷を分散させることができる。しかも、上記乳児用空気椅子１０は、乳児Ａの体格（体重）に応じて保持部１６などの各部位が弾性変形するため、体格に応じた適度な力で乳児Ａの身体を保持することができる。
【００５８】
よって、上記乳児用空気椅子１０は、乳児Ａが着座している際、保持部１６などの各部位が乳児Ａに対して密着し、乳児用空気椅子１０と乳児Ａとの間に所定の厚みを有する通気性マット部材１２が介在するが、乳児Ａに対して圧迫感を与えることがない。
【００５９】
その他、乳児用空気椅子本体１１は、エア充型であるため、全体が柔軟、軽量であるという効果も有する。このため、持ち運びが容易であるとともに、上記乳児用空気椅子１０に接触して乳児Ａが怪我をすることがなく安心である。さらに、上記乳児用空気椅子１０は、例えば、複雑な折畳み式により形成することもなく、不使用時においては、エアを抜くだけで容易にコンパクトに収納できるなどの効果も有する。
【００６０】
また、通気性マット部材１２は、マット状に形成しているため、乳児用空気椅子本体１１に対して容易に取り外すことができる。通気性マット部材１２は、取り外した状態において平面視略円板状とすることができ（図４（ａ）参照）、この状態から折り畳んだり、包んだりすることにより、コンパクトな形態とすることができる。
【００６１】
これに対して、使用時においては、通気性マット部材１２を乳児用空気椅子本体１１に載置するだけで、保持部１６の形態に対応して受動的に屈曲した状態となり容易に装着することができる。しかも、通気性マット部材１２は、予め、乳児用空気椅子本体１１に装着時における当接部位の形態を考慮して各部を構成しているため、図４（ｂ）に示したように、きっちりと乳児用空気椅子本体１１に密着させることができる。
【実施例２】
【００６２】
以下では、他の実施例に係る乳児用空気椅子について説明するが、上述した実施例１に係る乳児用空気椅子１０と同様の構成については、同様の符号を付してその説明を省略し、特に、異なる構成を中心に説明する。  
実施例２に係る乳児用空気椅子本体８０は、図７，及び、図８（ａ）に示すように、通気性マット部材８２を具備し、該通気性マット部材８２は、実施例１に係る通気性マット部材１２おける背凭れ部用接地部１２ｃに対応する背凭れ部用接地部８２ｃ、肘掛け部用接地部１２ｄに対応する肘掛け部用接地部８２ｄを腰回り対向保持部１７における略下端部にまで達する長さにまで延設している。
【００６３】
さらに、通気性マット部材８２の背凭れ部用接地部８２ｃ、及び、肘掛け部用接地部８２ｄの裏面であって、乳児用空気椅子本体１１の腰回り対向保持部１７における外周側に対接する所定の各部位には、一方の面ファスナ８５ａを接着している。
【００６４】
一方、乳児用空気椅子本体１１の腰回り対向保持部１７における外周側であって、上記通気性マット部材８２における上記一方の面ファスナ８５ａに対接する部位には、上記一方の面ファスナ８５ａに係合可能な他方の面ファスナ８５ｂを接着している。
【００６５】
上記構成を採れば、乳児用空気椅子本体１１に通気性マット部材８２を取り付けた状態で、乳児を着座させた場合において、該乳児が動作しても、特に、通気性マット部材８２における背凭れ部用接地部８２ｃ、及び、肘掛け部用接地部８２ｄが不用意に、弛緩したり、背凭れ部から取り外れたりすることがない。これは、通気性マット部材８２を乳児用空気椅子本体１１に対して上記一対の面ファスナ８５ａ，８５ｂにより、係合して取り付けているためであり（図７の要部拡大図参照）、これにより、通気性マット部材８２全体が乳児用空気椅子本体１１に対して強固に取り付いた状態を維持することができる。
【００６６】
また、通気性マット部材８２を乳児用空気椅子本体１１に対して取り付ける手段は、上記面ファスナ８５ａ，８５ｂに限定せず、スナップ、紐部材、マグネット、フォック、フックなど限定しないが、実施例２に係る乳児用空気椅子８０のように一対の面ファスナ８５ａ，８５ｂを用いれば、該一対の面ファスナ８５ａ，８５ｂどうしを面接触させるだけで、容易に取り付けることができる。
【００６７】
さらに、乳児用空気椅子本体１１に取り付けた上記他方の面ファスナ８５ｂは、接着剤により接着しているため、例えば、縫製により取り付けた場合と異なり、針穴などが残らず、乳児用空気椅子本体１１内部の機密性を確保することができる。
【００６８】
ちなみに、乳児用空気椅子本体１１側に取り付けた上記一方の面ファスナ８５ｂは、一対の面ファスナのうち、被係合側の面ファスナ（すなわち、雌側）が好ましく、通気性マット部材８２側に取り付けた上記他方の面ファスナ８５ａは、上記被係合側の面ファスナに係合する側の面ファスナ（すなわち、雄側）が好ましい。
【００６９】
なぜなら、通気性マット部材８２を取り外した状態における、乳児用空気椅子本体１１の使用を想定した場合、乳児用空気椅子本体１１側に接着されている一方の面ファスナ８５ｂが被係合側の面ファスナであれば、該一方の面ファスナ８５ｂは、手触りが柔軟であるため、怪我などの心配もなく、しかも、塵などが付着し難いため、衛生的であるからである。
【００７０】
さらに、通気性マット部材８２を取り外した状態における、乳児用空気椅子本体１１の他の使用形態として、乳児用空気椅子８０は、上記乳児用空気椅子本体１１側に接着した一方の面ファスナ８５ｂと重合可能な他方の面ファスナ８５ｃを別途、具備してもよい。
【００７１】
すなわち、図８（ｂ）に示したように（特に、図８（ｂ）における要部拡大図参照）、通気性マット部材８２を取り外した後、上記乳児用空気椅子本体１１側に接着した一方の面ファスナ８５ａに別途、具備した他方の面ファスナ８５ｃを重合しておけば、見栄えも良好に保つことができるとともに、完全に塵などが付着することを阻止することがきるため、面ファスナが何ら、上記乳児用空気椅子本体１１単独で使用する際の弊害になることがない。
【００７２】
乳児用空気椅子８０は、通気性マット部材８２を上記乳児用空気椅子本体１１に取り付ければ、例えば、部屋用の乳児用空気椅子８０として、用いることができ、通気性マット部材８２を上記乳児用空気椅子本体１１から取り外せば、例えば、沐浴など水周り設備周辺で用いることができる。  
つまり、利用者は、用途に応じて乳児用空気椅子８０を、通気性マット部材８２を取り付けた状態で、或いは、上記乳児用空気椅子本体１１単独の状態で使用するかを任意に選択することができる。
【実施例３】
【００７３】
また、通気性マット部材は、実施例３で示すように構成することができる。
【００７４】
すなわち、実施例３に係る通気性マット部材９２は、図９（ａ）に示したように、実施例１に係る通気性マット部材１２を構成する着座部用接地部１２ａに対応する着座部用接地部９２ａ、及び、連結部用接地部１２ｂに対応する連結部用接地部９２ｂにより円板状に構成し、さらに、該円板状をした部材の所定の外周部から脚部接地用接地部９３ｆを延設した形態で構成している。
【００７５】
本実施例に係る通気性マット部材９２は、図９（ｂ）に示したように、乳児用空気椅子本体１１に取り付けたとき座布団のように略平面状をした形態を維持したまま、上記乳児用空気椅子本体１１における特に着座部１４に載上させて取り付けることができる。
【００７６】
上記構成を採る本実施例３に係る通気性マット部材９２は、立体縫製などを要さずに容易に製造することができ、大きさ、重量の観点から扱いも手軽である。  
すなわち、実施例３に係る乳児用空気椅子９０は、乳児用空気椅子本体１１においては、内部の空気を抜けば、コンパクトに収縮することができ、通気性マット部材９２においては、扱いが手軽であることから、持ち運びに便利であるといえる。
【００７７】
さらに、例えば、通気性マット部材９２は、簡素な構成であり、乳児用空気椅子本体１１を取り付けた状態においても略平面状に保つことができるため、着座した乳児が激しく動作しても、弛緩したり、折れ曲がったりする事態も生じない。
【００７８】
また、本発明に係る通気性マット部材は、上述したように乳児用空気椅子本体１１に取り付けたとき、例えば、実施例１に係る通気性マット部材１２のように着座した乳児が当接する部位全体に設置されるよう構成する、或いは、例えば、本実施例３に係る通気性マット部材９２のように着座した乳児が当接する部位における、少なくとも１部位にのみ設置されるよう構成することができる。
【実施例４】
【００７９】
次に、実施例４に係る乳児用空気椅子３０について説明する。  
図１０（ａ）に示したように、乳児用空気椅子３０には、実施例１に係る乳児用空気椅子１０のように通気性マット部材１２を具備せず、代わりに通気性カバー部材３２を具備して構成している。
【００８０】
上記通気性カバー部材３２は、上述した実施例に係る通気性マット部材と同様に、通気性を確保して形成しているが、その形態は、乳児用空気椅子本体１１の略全体を被覆可能に形成している。  
具体的に、上記通気性カバー部材３２は、乳児用空気椅子本体１１に対応する形態をした袋状に形成している。さらに、通気性カバー部材３２は、図１０（ｂ）に示したように、乳児用空気椅子本体１１における底面部に対応する部位を開口させた開口部３３を形成している。  
なお、図１０（ｂ）は、通気性カバー部材３２を底面視したときの形態を示す。
【００８１】
さらに、上記通気性カバー部材３２は、上記乳児用空気椅子本体１１と略同一のサイズで形成している。
【００８２】
実施例４に係る乳児用空気椅子３０は、上記構成を採るものとし、以下、上記通気性カバー部材３２を乳児用空気椅子本体１１に被覆する手順について簡単に説明する。  
まず、乳児用空気椅子本体１１には、勿論、内部に空気を充填しておくが、上記通気性カバー部材３２を被覆する前においては、ある程度（大よそ７割程度）しか空気を充填させないでおく。
【００８３】
これは、上記通気性カバー部材３２を乳児用空気椅子本体１１と略同一サイズにより形成しているためである。すなわち、
仮に、乳児用空気椅子本体１１の内部に空気を充分、充填して完全な上記椅子型形態とした場合、このような乳児用空気椅子本体１１に対して上記通気性カバー部材３２を被覆することは、困難であり、無理に被覆しようとすれば上記通気性カバー部材３２が破損してしまうおそれも有するためである。
【００８４】
このように、乳児用空気椅子本体１１の内部には、ある程度しか空気を充填させていないため、上記通気性カバー部材３２を容易に被覆することができる。このとき、上記通気性カバー部材３２を乳児用空気椅子本体１１の各部に対応するよう乳児用空気椅子本体１１に対する相対位置を一致させた状態で被覆しておく。
【００８５】
上述したように、乳児用空気椅子本体１１に対して上記通気性カバー部材３２を被覆した後において、乳児用空気椅子本体１１の内部に空気を充分、充填すればよい。
【００８６】
以上により、乳児用空気椅子３０は、上記通気性カバー部材３２が乳児用空気椅子本体１１に対して摺れることや、弛緩することがなく互いに密着した状態で被覆することができる（図１０（ａ）参照）。よって、乳児用空気椅子３０は、見栄よく構成することができるとともに、乳児を快適に着座させることができる。
【００８７】
しかも、通気性カバー部材３２は、上述したように、それ自体が２軸延伸方向においても伸縮性を有する。つまり、通気性カバー部材３２により乳児用空気椅子本体１１を被覆した状態において、乳児Ａが着座部１４に着座することにより、内部の乳児用空気椅子本体１１が弾性変形したとき、弾性変形後の形態に応じて通気性カバー部材３２のカバー面自体が伸縮する。よって、通気性カバー部材３２は、乳児用空気椅子本体１１が弾性変形することを妨げることがない。
【００８８】
また、乳児用空気椅子３０は、乳児用空気椅子本体１１における底面部を除く略全体が通気性カバー部材３２により、被覆された状態となる。このため、乳児用空気椅子３０は、塩化ビニール樹脂シート２３を用いて形成する乳児用空気椅子本体１１に乳児Ａの身体が直接、当接することを、通気性カバー部材３２を介在させることにより完全に阻止することができる。  
よって、乳児用空気椅子３０における乳児Ａが当接する部位における通気性を確実に確保することができる。
【００８９】
また、乳児用空気椅子３０における底面部については、通気性カバー部材３２により被覆されない状態となる。乳児用空気椅子本体１１における塩化ビニール樹脂シート２３が直接、接地面に接触されることになり、この間における非通気性を確保し易くなる。  
よって、実施例４に係る乳児用空気椅子３０においても接地面に対して吸着させることができるため、安定して接地させることができる。
【実施例５】
【００９０】
上述した乳児用空気椅子３０のように、乳児用空気椅子本体１１と通気性カバー部材３２とを略同一サイズに形成すれば、上述したように見栄えよく被覆することができ好ましいが、勿論、上記構成に限定しない。例えば、乳児用空気椅子本体１１に対して通気性カバー部材を１回り大きく形成し、乳児用空気椅子本体１１を完全に膨らませた状態でも通気性カバー部材を容易に被覆可能に形成してもよい。
【００９１】
具体的に、乳児用空気椅子４０は、図１１に示したように、通気性カバー部材４２を乳児用空気椅子本体１１に対して一回り大きく形成し、通気性カバー部材４２における下端周縁部４２ａに、該下端周縁部４２ａが弛緩可能に例えば、巾着紐４２ｂを包囲させて形成するとよい。
【００９２】
上記構成を採れば、乳児用空気椅子本体１１に対して通気性カバー部材４２を被覆し、弛緩した状態の通気性カバー部材４２における下端周縁部４２ａを、巾着紐４２ｂを用いて締めれば、通気性カバー部材４２を乳児用空気椅子本体１１に密着させることができるため、見栄えよく取り付けることができる。
【００９３】
さらの、実施例５に係る乳児用空気椅子４０は、乳児用空気椅子本体１１に対する通気性カバー部材４２の取り付け、或いは、取り外しを容易に行うことができ、しかも、不用意に乳児用空気椅子本体１１が通気性カバー部材４２に対して取り外れてしまうことがない。
【実施例６】
【００９４】
その他にも、実施例６に係る乳児用空気椅子５０のよるに形成することもできる。具体的に、乳児用空気椅子５０は、図１２（ａ），（ｂ）に示したように、通気性カバー部材５２における下部に、塩化ビニール部材などの非通気性シート部材５２ａを用いて形成している。通気性カバー部材５２における上部は、通気性部材５２ｂにより形成している。
【００９５】
上記非通気性シート部材５２ａは、正面視略円環状に形成し、支持部１３における中央部を除いた部位を被覆可能に形成している（図１２（ｂ）参照）。乳児用空気椅子本体１１の下部外周部において、上記通気性部材５２ｂと上記非通気性シート部材５２ａとは、開閉手段により一体に形成して開口部５４を閉塞している。
【００９６】
具体的に上記開閉手段は、上記通気性部材５２ｂにおける下部外周部に、一方のスライドファスナ５３ｂを縫着し、非通気性シート部材５２ａにおける外周縁部に、他方のスライドファスナ５３ａを縫着して構成している（図１２（ａ）の要部拡大図参照）。
【００９７】
上記構成を採れば、乳児用空気椅子本体１１に対して上記通気性カバー部材５２が不用意に取り外れることがない。しかも、乳児用空気椅子５０の接地面に対する吸着作用を維持することができるため、安定して接地することができる。また、一対のスライドファスナ５３ａ，５３ｂの係合を解除して上記通気性部材５２ｂに対して非通気性シート部材５２ａを分離させれば、乳児用空気椅子本体１１を容易に取り外すことができる。
【００９８】
また、乳児用空気椅子５０は、非通気性シート部材５２ａにおける地面に接地する側の面に、滑り止め防止用の粘着層などを構成してもよい。
【００９９】
上記乳児用空気椅子５０は、上記通気性部材５２ｂと非通気性シート部材５２ａとを結合、或いは、分離する手段は、支持部１３外周部にかけて形成するに限らず、例えば、保持部１６外周部にかけて形成するなど、いずれの部位において形成してもよい。
【０１００】
さらに、上記通気性部材５２ｂと非通気性シート部材５２ａとを互いに、分離、或いは、結合する手段、すなわち、上記開口部５４を開口する開閉手段には、上記一対のスライドファスナ５３ａ，５３ｂを用いるに限定せず、面ファスナ、フォック、スナップなど、他の部材を用いることができる。
【実施例７】
【０１０１】
また、通気性マット部材、及び、通気性カバー部材は、上述した３層構造を採る立体編物に限定せず、他の通気性を確保することができる部材を用いてもよい。
【０１０２】
実施例７では、他の通気性素材、若しくは構成により形成した通気性マット部材、或いは、通気性カバー部材の１例について説明する。
【０１０３】
例えば、図１３（ａ）に示した模式図のように、通気性マット部材、或いは、通気性カバー部材は、不織布など柔軟な繊維状の素材を絡ませて所定の厚みに形成した通気性を有する部材９１であってもよい。
【０１０４】
その他にも、通気性マット部材、或いは、通気性カバー部材は、基布に対して柔軟な繊維を人工芝、タオル生地のように植毛した構成（パイル）などで構成したり、図１３（ｂ）に示したように、内部に多数の孔が存在する発泡ウレタン部材９２（スポンジ）を用いて構成したりすることもできる。
【０１０５】
さらには、通気性マット部材、或いは、通気性カバー部材は、当然、通気性を確保できるのであれば、綿などの柔軟性部材素材で構成した部材であってもよく、例えば、表地、或いは、裏地のいずれか一方の面地は、樹脂製繊維などを用いてメッシュ素材により形成し、他方の面地は、綿を用いて柔軟に構成して、その間に厚みを確保すべく連結糸で連結して構成した部材であってもよい。
【０１０６】
或いは、クッション部材のように、柔軟性を有する袋体に中綿を充填した構成であってもよい。
【０１０７】
綿などを素材を用いた場合、通気性の他にも吸水性にも優れるため、汗などの水分を積極的に吸収することができる。ポリエステル繊維を用いた場合は、ダニなどの発生を抑制することができる。
【０１０８】
勿論、これら通気性を有する部材９１、及び、発泡ウレタン部材９２の厚みは限定しないが、例えば、約３０ｍｍ程度以下の厚みで形成することが好ましい。
【実施例８】
【０１０９】
実施例８に係る乳児用空気椅子６０は、適宜、上述した通気性マット部材１２、或いは、通気性カバー部材３２，４２，８２，９２に他の構成を補助的に具備して構成することができる。
【０１１０】
例えば、通気性カバー部材３２，４２における腹部対向保持部１８には、図１４に示したように、一対の把持部６１を具備して構成することができる。具体的に、把持部６１は、腹部対向保持部１８の上部における左右両側から突き出している。
【０１１１】
ちなみに、上記腹部対向保持部１８における把持部６１が突き出した近傍部位、例えば、上記腹部対向保持部１８の上部における左右両側、及び、前方側などの乳児の身体が当接しない部位は、上述した立体編物などの伸縮性の有する部材ではなく、塩化ビニールシート部材２３などの伸縮性の有しない別部材で形成している。
【０１１２】
これにより、把持部６１は、乳児Ａが該把持部６１を把持したときの曲げ応力により、不用意に屈曲することがないため、しっかりと把持して用いることができる。但し、把持部６１は、保護者（大人）が意図的に把持部６１と上記腹部対向保持部１８との結合部を屈曲しようとすれば、容易に屈曲できるよう構成している。  
よって、把持部６１が乳児Ａの着座、若しくは、起立する動作の妨げになることがない。
【０１１３】
上記構成により、乳児用空気椅子６０は、乳児用空気椅子本体１１に対して上記通気性カバー部材３２，４２，８２，９２を被覆するだけで、容易に把持部６１を構成することができる。
【０１１４】
さらに、着座した際には、把持部６１が上記脚接地部１３ｂの上側に有することになるため、把持部６１は、上記保持部１６とともに、乳児Ａが不用意に起立しないようにするためのガイドとしての効果も発揮する。  
よって、実施例８に係る乳児用空気椅子６０は、乳児Ａをさらに安定した状態で着座させることができる。
【実施例９】
【０１１５】
さらに、乳児用空気椅子は、実施例９に係る乳児用空気椅子７０のように形成することもできる。例えば、通気性マット部材、或いは、通気性カバー部材には、音鳴り部材７１を補助的に具備することもできる。  
なお、上記音鳴り部材７１とは、圧縮したときに該音鳴り部材７１の内部に充填した空気が流出することにより音を発することができる周知の部材である。
【０１１６】
具体的に、図１５に示したように、実施例９に係る乳児用空気椅子７０は、通気性マット部材７２における左右各側の肘掛け部用接地部７２ｄに対応する部位に上記音鳴り部材７１を収納可能な収納部７３を具備している。
【０１１７】
肘掛け部用接地部７２ｄにおける収納部７３に音鳴り部材７１を具備すれば、乳児が肘を掛けたと同時に音を発するため、乳児の興味を惹き付けることがき、乳児Ａを飽きずに着座させておくことができる。
【０１１８】
勿論、乳児用空気椅子７０は、上述したような音に限らず、音楽、或いは、光などを発する周知の構成を具備してもよい。
【０１１９】
その他にも乳児用空気椅子は、様々な構成を採ることができる。  
例えば、乳児用空気椅子における着座部、又は／及び、連結部は、上述したように袋状の塩化ビニールシート部材に空気を充填させた構成ではなく、該着座部、又は／及び、該連結部自体を、例えば、実施例７における通気性部材（上記図１３（ａ）参照）のように、柔軟な繊維状の素材を絡ませて構成してもよい。
【０１２０】
上記構成により、室内などで用いる場合は、乳児用空気椅子の着座部、及び、その近傍の部位における通気性を確保できる。さらに、風呂場などで用いる場合は、柔軟な繊維状の素材で構成した該着座部、又は／及び、該連結部を通じて、水を排水することができるため、着座部近傍に水が不用意に溜まることを防止することができる。
【０１２１】
さらに、空気を充填させて椅子型形態に構成する上述した乳児用空気椅子に限定せず、乳児用空気椅子は、ゴム、プラスチックなど他の非通気性素材を用いて構成したものであってもよい。
【０１２２】
また、上述した乳児用空気椅子１０，３０，４０，５０，６０，７０，８０，９０は、地面に対して吸着作用を利用して接地するに限らず、例えば、底面部における少なくとも地面との接地部位を、例えば、軟質の合成樹脂、天然ゴム、合成ゴム、シリコーン、他の摩擦係数の高い部材などを具備して形成してもよい。その他、底面部における少なくとも地面との接地部位に、滑り止め剤を塗付したり、スプレーを吹き付けたりして粘着層を構成してもよい。
【０１２３】
このように、本発明に係る乳児用空気椅子は、上記実施例の形態に限定せず、様々な構成で形成することができる。
【０１２４】
また、上述の実施形態と、この発明の構成との対応において、この実施形態の乳児用空気椅子１０，３０，４０，５０，６０，７０，８０，９０は、乳児用椅子に対応し、
塩化ビニールシート部材２３は、非通気性カバー部材に対応し、
乳児用空気椅子本体１１は、袋状の非通気性カバー部材の内部に流体を充填させたとき乳児が着座可能に形成される乳児用椅子に対応し、
通気性マット部材１２、又は、通気性カバー部材３２，４２，８２，９２は、通気性カバー部材に対応するも、
この発明は、上述の実施形態の構成のみに限定されるものではなく、上述したように多くの実施の形態を得ることができる。
【図面の簡単な説明】
【０１２５】
【図１】実施例１に係る乳児用椅子の使用状態を示す外観図。
【図２】実施例１に係る乳児用椅子の前後方向における片断面図。
【図３】実施例１に係る乳児用椅子を片断面で示した正面図。
【図４】実施例１に係る通気性マット部材の外観図（ａ）、実施例１に係る通気性マット部材を取り付けた状態を示す外観図（ｂ）。
【図５】図１における領域Ｘを模式的に示した説明図（ａ）、図２における領域Ｙを模式的に説明図（ｂ）。
【図６】実施例１に係る乳児用椅子の使用状態を示す説明図。
【図７】実施例２に係る乳児用椅子における要部を拡大し、通気性マット部材を片断面で示した背面図。
【図８】実施例２に係る乳児用椅子の前後方向における片断面図（ａ）、通気性マット部材を取り付けていない実施例２に係る乳児用椅子の前後方向における片断面図（ｂ）。
【図９】実施例３に係る通気性マット部材の外観図（ａ）、実施例３に係る通気性マット部材を取り付けた状態を示す外観図（ｂ）。
【図１０】実施例４に係る乳児用椅子の外観図（ａ）、実施例２に係る通気性マット部材の底面図（ｂ）。
【図１１】実施例５に係る乳児用椅子を示す外観図。
【図１２】実施例６に係る乳児用椅子を片断面で示した正面図（ａ），  実施例４に係る乳児用椅子の底面図（ｂ）。
【図１３】実施例７に係る通気性マット部材、若しくは通気性カバー部材の断面構造を示す説明図（ａ）、実施例５に係る他の通気性マット部材、若しくは通気性カバー部材の断面構造を示す説明図（ｂ）。
【図１４】実施例８に係る乳児用椅子を示す外観図。
【図１５】実施例９に係る乳児用椅子を片断面で示した正面図。
【符号の説明】
【０１２６】
１０，３０，４０，５０，６０，７０，８０，９０…乳児用空気椅子
２３…塩化ビニールシート部材
１１…乳児用空気椅子本体
１２，７２…通気性マット部材（立体メッシュ構造）
３２，４２，５２，８２，９２…通気性カバー部材
１３…支持部
１４…着座部
１６…保持部
２１…空間部
５３ａ，５３ｂ…一対のスライドファスナ
５４…開口部
９１，９２…他の通気性を有する部材
【図１】
2006334138.tif 000003
【図２】
2006334138.tif 000004
【図３】
2006334138.tif 000005
【図４】
2006334138.tif 000006
【図５】
2006334138.tif 000007
【図６】
2006334138.tif 000008
【図７】
2006334138.tif 000009
【図８】
2006334138.tif 000010
【図９】
2006334138.tif 000011
【図１０】
2006334138.tif 000012
【図１１】
2006334138.tif 000013
【図１２】
2006334138.tif 000014
【図１３】
2006334138.tif 000015
【図１４】
2006334138.tif 000016
【図１５】
2006334138.tif 000017